(57)【要約】      （修正有）【課題】外観をよくするとともに、材料コストを下げることが可能な、製品の表面に貼るための保護フィルムを提供する。【解決手段】保護フィルム本体と、複数の接着材とによって構成する。複数の接着材は、保護フィルム本体の一面に設けられる。【選択図】図３
0003165384.tif 000002
【実用新案登録請求の範囲】
【請求項１】
保護フィルム本体と、複数の接着材とによって構成する製品の表面に貼るための保護フィルムであって、
複数の接着材は、保護フィルム本体の一面に設けられ、しかも、保護フィルム本体上における複数の接着材は、製品の表面輪郭形状範囲内における貼りつけるのに重要な箇所に位置することを特徴とする、製品の表面に貼るための保護フィルム。
【請求項２】
前記接着材は、前記輪郭形状の対向する両側に設けられることを特徴とする、請求項１に記載の製品の表面に貼るための保護フィルム。
【請求項３】
前記接着材は、前記輪郭形状の各角端の位置に設けられることを特徴とする、請求項１に記載の製品の表面に貼るための保護フィルム。
【考案の詳細な説明】
【技術分野】
【０００１】
本考案は、接着材の使用量を節約することができるとともに、貼りつけると更に外観の美しさが増す保護フィルムに関する。
【背景技術】
【０００２】
従来の保護フィルムは、フィルムを貼る際に、気候、湿度、人工貼りつけ技術熟練度の差等の内、外的要素の影響を受け、製品に貼りつけた後、製品表面と保護フィルムの間に空気が存在し気泡４（図２に図示）を形成し、極めて見た目が悪くなる現象が多々発生する。また、保護フィルム本体１上の接着材の品質と厚さは、人工作業の熟練度の影響を受け、もし均一に塗ることができなかった場合、消費者が保護フィルムを剥がす際に、不均一な接着材が製品表面上に残り、溶剤を使用して取り除かなければならなくなる。もし、消費者が一定期間有機溶剤で拭かなかった場合、製品表面の塗料に不良を引き起こし、元に戻らないこともある。また、工場でフィルムを貼る作業を行う際、数日連続して雨が降り空気の湿度が増加すると、保護フィルム本体１を製品上に貼る時、保護フィルム本体１と製品３表面の間に気体が入り込み、図２に示すような白霧状層５が存在し、極めて外観が悪くなる。このように、多くの問題が生産者を悩まし、もし改めてフィルムを貼りなおすことになると、時間と労力がかかり、コストが増えることになる。
【考案の概要】
【考案が解決しようとする課題】
【０００３】
そこで、本考案は、製品表面に貼る際、気候、湿度、人工貼りつけ技術熟練度の差等の内、外的要素の影響を受け、フィルムを貼る品質が一定でなく、外観が悪くなり、フィルムを剥がした後に接着材が残るなどの従来の問題を改善した保護フィルムを提供することを目的とする。
【０００４】
また、本考案は、接着材を完全に保護フィルム本体上に塗布するため、接着材の使用量が大きくなり、コストを下げることができない従来の問題を改善した保護フィルムを提供することを目的とする。
【０００５】
また、本考案は、離型紙を利用し接着材を製品表面に印刷する方法が大量の離型紙を必要とし、材料コストを下げることができないという従来の問題を改善した保護フィルムを提供することを目的とする。
【課題を解決するための手段】
【０００６】
本考案による製品の表面に貼るための保護フィルムは、保護フィルム本体と、複数の接着材とによって構成する。複数の接着材は、保護フィルム本体の一面に設けられ、しかも、保護フィルム本体上における複数の接着材は、製品の表面輪郭形状範囲内における貼りつけるのに重要な箇所に位置する。
【図面の簡単な説明】
【０００７】
【図１】製品表面に貼るための従来の保護フィルムを示した分解斜視図である。
【図２】従来の保護フィルムを製品表面に貼った後、気泡や白霧状層が生じた状態を示した説明図である。
【図３】製品表面に貼るための本考案による保護フィルムを示した分解斜視図である。
【図４】本考案による保護フィルムを製品表面に貼った後の状態を示した斜視図である。
【図５Ａ】本考案の保護フィルム本体の一面上の接着材の実施例１を示した説明図である。
【図５Ｂ】本考案の保護フィルム本体の一面上の接着材の実施例１を示した説明図である。
【図５Ｃ】本考案の保護フィルム本体の一面上の接着材の実施例１を示した説明図である。
【図６Ａ】本考案の保護フィルム本体の一面上の接着材の実施例２を示した説明図である。
【図６Ｂ】本考案の保護フィルム本体の一面上の接着材の実施例２を示した説明図である。
【図６Ｃ】本考案の保護フィルム本体の一面上の接着材の実施例２を示した説明図である。
【図７Ａ】本考案の保護フィルム本体の一面上の接着材の実施例３を示した説明図である。
【図７Ｂ】本考案の保護フィルム本体の一面上の接着材の実施例３を示した説明図である。
【図７Ｃ】本考案の保護フィルム本体の一面上の接着材の実施例３を示した説明図である。
【考案を実施するための形態】
【０００８】
まず、図３を参照する。図３では、液晶モニターを製品３にした実施例であり、それに本考案による保護フィルムを貼りつける。本考案による保護フィルムは、貼りつけたい製品３の表面輪郭形状に対応した保護フィルム本体１と、保護フィルム本体１一面における貼りつける重要部分に設けられた接着材２とによって構成する。本考案は、接着材２を製品３表面に向け、接着材２を粘着媒介物質として保護フィルム本体１を製品３表面（図４に図示）に貼りつける。貼りつける際、気候、湿度、人工熟練度等の内、外的要因の影響を受けず、気泡や接着材の残りや白霧状層などが生じないため、製品の表面の外観が更に美しくなる。
【０００９】
本考案は、スクリーン印刷技術によって、接着材２を保護フィルム本体１上に印刷する。その際、貼りつけたい製品の表面輪郭形状に応じて、接着材２を、保護フィルム本体１一面における前記輪郭形状範囲内の貼りつけるのに重要な部分に印刷する。接着材をつけた後、さらに裁断工具を用い、前述した輪郭形状に応じて、保護フィルム本体１を裁断する。最後に、裁断された保護フィルム本体を、その接着材を粘着媒介物質として、対応する形状の製品表面に貼り付ける。
【００１０】
（実施例１）
図５Ａに示すように、本考案の保護フィルムを貼る製品表面の輪郭形状が矩形である場合、スクリーン印刷技術を用いて、接着材２を保護フィルム本体１一面の対向する両側にスクリーン印刷する。両側の接着材２は、それぞれコの字形を呈しているが、二つのコの字形は、図の点線で囲まれた対応製品表面形状の矩形輪郭を構成する。その後、裁断工具で、保護フィルム本体１上の接着材２で囲まれる矩形の輪郭の型へと裁断する（図５Ｂに図示）。それにより、接着材２を媒介物質として、保護フィルム本体１を製品３の矩形表面上に貼りつけて固定することができ（図５Ｃに図示）、製品表面は保護されて傷がつくのを防ぐことができる。
【００１１】
（実施例２）
図６Ａに示すように、本考案の保護フィルムを貼る製品の表面の輪郭形状が矩形である場合、スクリーン印刷技術を用いて、接着材２を保護フィルム本体１一面の対向する両側にスクリーン印刷する。両側の接着材２は、それぞれ四つのＬ形を呈するが、その四つのＬ形の接着材は、図の点線で囲まれた対応製品表面形状の矩形輪郭を構成する。その後、裁断工具で保護フィルム本体１上の接着材２で囲まれる矩形の輪郭の型へと裁断する（図６Ｂに図示）。それにより、接着材２を媒介物質として、保護フィルム本体１を製品３の矩形表面上に貼りつけて固定することができる（図６Ｃに図示）。
【００１２】
（実施例３）
図７Ａに示すように、本考案の保護フィルムを貼る製品の表面の輪郭形状がＬ形である場合、スクリーン印刷技術を用いて、接着材２を保護フィルム本体１一面上に印刷し、二つの異なる方向のコの字形と一つのＬ形を形成させる。この二つのコの字形と一つのＬ形は、図の点線で囲まれた対応製品表面形状のＬ形状の輪郭を構成する。その後、裁断工具を用いて保護フィルム本体１上の接着材２で囲まれるＬ形輪郭の型へと裁断する（図７Ｂに図示）。それにより、接着材２を媒介物質として、保護フィルム本体１を製品３のＬ形表面上に貼りつけて固定することができる（図７Ｃに図示）。
【符号の説明】
【００１３】
１    保護フィルム本体
２    接着材
３    製品
４    気泡
５    白霧状層
【図１】
0003165384.tif 000003
【図２】
0003165384.tif 000004
【図３】
0003165384.tif 000005
【図４】
0003165384.tif 000006
【図５Ａ】
0003165384.tif 000007
【図５Ｂ】
0003165384.tif 000008
【図５Ｃ】
0003165384.tif 000009
【図６Ａ】
0003165384.tif 000010
【図６Ｂ】
0003165384.tif 000011
【図６Ｃ】
0003165384.tif 000012
【図７Ａ】
0003165384.tif 000013
【図７Ｂ】
0003165384.tif 000014
【図７Ｃ】
0003165384.tif 000015
【手続補正書】
【提出日】平成22年11月4日(2010.11.4)
【手続補正１】
【補正対象書類名】実用新案登録請求の範囲
【補正対象項目名】請求項１
【補正方法】変更
【補正の内容】
【請求項１】
貼りつける製品の表面輪郭形状に対応した保護フィルム本体と、保護フィルム本体の一面に設けられた複数の接着材とによって構成することを特徴とする、製品の表面に貼るための保護フィルム。